(57)【要約】【課題】製造コストを節減することができる，スマートバッテリーパックおよびこれを用いた類型判別方法の提供。【解決手段】陽極端子Ｐ＋および陰極端子Ｐ−によって外部セット２００に接続される少なくとも一つのバッテリーセル１１０と，前記外部セット２００にデータ端子ＤＡＴＡを介して接続され，前記外部セット２００から所定の信号が印加されると，所定の電圧を一定の時間印加するタイマー回路１２０と，前記タイマー回路１２０によって前記バッテリーセルの電源を印加する第１スイッチ１３０と，前記バッテリーセル１１０の電源印加によって所定の信号を出力するレジスタ１４０と，前記レジスタ１４０の信号によってバッテリー類型情報を出力する制御部１５０とを含む，スマートバッテリーパックが提供される。【選択図】図１
2006073527.tif 000002
【特許請求の範囲】
【請求項１】
陽極端子及び陰極端子によって外部セットに接続される，少なくとも一つのバッテリーセルと；
前記外部セットにデータ端子を介して接続され，前記外部セットから所定の信号が印加されると，所定の電圧を一定の時間印加するタイマー回路と；
前記タイマー回路の作動によってオンされる第１スイッチと；
前記第１スイッチがオンされることで前記バッテリーセルの電源が印加され，所定の信号を出力するレジスタと；
前記レジスタの信号によってバッテリー類型情報を出力する制御部と；
を備えることを特徴とする，スマートバッテリーパック。
【請求項２】
前記データ端子は，一つであることを特徴とする，請求項１に記載のスマートバッテリーパック。
【請求項３】
前記制御部は，前記レジスタの信号によって，前記データ端子を介してバッテリー類型情報を外部セットに伝送することを特徴とする，請求項１または２に記載のスマートバッテリーパック。
【請求項４】
前記タイマー回路は，前記データ端子と前記第１スイッチとの間に，
前記データ端子から前記第１スイッチの方向へ順方向に接続されたダイオードと；
前記ダイオードのカソードに並列接続されたキャパシタと；
前記キャパシタに並列接続された抵抗と；
前記抵抗にゲートが並列接続された電界効果トランジスタと；
を含む，請求項１〜３のいずれかに記載のスマートバッテリーパック。
【請求項５】
前記第１スイッチは，前記タイマー回路の前記電界効果トランジスタがオンされると，共にオンされる電界効果トランジスタであることを特徴とする，請求項４に記載のスマートバッテリーパック。
【請求項６】
前記陽極端子と前記バッテリーセルとの間には前記制御部によって制御される第２スイッチがさらに接続されている，請求項１〜５のいずれかに記載のスマートバッテリーパック。
【請求項７】
前記スマートバッテリーパックは，前記外部セットから，正しいバッテリー類型情報であるという認証信号が前記データ端子を介して前記制御部に伝送されると，前記制御部が前記第２スイッチをオンさせて，バッテリーセルの電源が前記外部セットに印加されるようにすることを特徴とする，請求項６に記載のスマートバッテリーパック。
【請求項８】
前記第２スイッチは，前記制御部によってゲート電圧が制御される電界効果トランジスタであることを特徴とする，請求項６に記載のスマートバッテリーパック。
【請求項９】
前記第２スイッチは，前記制御部によってバッテリーセルの放電状態が制御される電界効果トランジスタであることを特徴とする，請求項６に記載のスマートバッテリーパック。
【請求項１０】
外部セットにスマートバッテリーパックの陽極端子，陰極端子および一つのデータ端子が接続されると，前記外部セットが前記データ端子を介して所定の信号を前記スマートバッテリーパックに出力する段階と；
前記所定の信号によって前記スマートバッテリーパックがタイマー回路を作動させることにより第１スイッチをオンさせる段階と；
前記第１スイッチのオン信号によってバッテリーセルの電源がレジスタに印加された後，前記レジスタが所定の信号を出力する段階と；
を含んでなることを特徴とする，バッテリー類型判別方法。
【請求項１１】
前記レジスタによる所定の信号出力段階後には，前記レジスタの出力信号によって，スマートバッテリーパックが前記外部セットにデータ端子を介して自分の類型情報を出力する，類型情報出力段階をさらに含むことを特徴とする，請求項１０に記載のバッテリー類型判別方法。
【請求項１２】
前記類型情報出力段階後には，前記外部セットが前記スマートバッテリーパックの類型情報を読み取って，自分に合うバッテリーなのか否かを判断し，これによる認証情報をスマートバッテリーパックにデータ端子を介して出力する，認証情報出力段階をさらに含むことを特徴とする，請求項１１に記載のバッテリー類型判別方法。
【請求項１３】
前記認証情報出力段階で，前記外部セットに合うスマートバッテリーパックと認証された場合，前記スマートバッテリーパックは，前記外部セットと前記スマートバッテリーパックとの間に接続された第２スイッチをオンさせ，前記外部セットに前記スマートバッテリーパックの電源が印加されるようにする段階をさらに含むことを特徴とする，請求項１２に記載のバッテリー類型判別方法。
【請求項１４】
前記認証情報出力段階で，前記外部セットに合うスマートバッテリーパックと認証されなかった場合，前記スマートバッテリーパックは，前記外部セットと前記スマートバッテリーパックとの間に接続された第２スイッチをオフさせ，前記外部セットに前記スマートバッテリーパックの電源が印加されないようにする段階をさらに含むことを特徴とする，請求項１２に記載のバッテリー類型判別方法。
【発明の詳細な説明】
【技術分野】
【０００１】
本発明は，スマートバッテリーパックおよびこれを用いたバッテリー類型判別方法に関する。
【背景技術】
【０００２】
一般に，スマート（ＳＭＡＲＴ：Ｓｅｌｆ−Ｍｏｎｉｔｅｒｉｎｇ  Ａｎａｌｙｓｉｓ  ａｎｄ  Ｒｅｐｏｒｔｉｎｇ  Ｔｅｃｈｎｏｌｏｇｙ）バッテリーとは，自ら自己診断を行うことができ，かつ自己診断情報を外部セットにデータラインを介して伝送することができるバッテリーをいう。自己診断情報とは，例えば，バッテリーの類型，残存容量，過充電／過放電／過電流，および温度に対する情報などである。これに対し，スマート通信機能なしで単に電源のみを供給することが可能なバッテリーをダミーバッテリー（Ｄｕｍｍｙ  Ｂａｔｔｅｒｙ）という。ここで，外部セットは，ノート型パソコン，個人携帯端末機，カムコーダ，携帯電話といった携帯用の全ての電子機器を指す。
【０００３】
従来のスマートバッテリーパックと外部セット間のデータ通信方法では，スマートバッテリーパックと外部セットとの間にオン，オフ信号ライン（またはクロック信号ライン）とデータラインを備え，オン，オフ信号に同期させてスマートバッテリーパックの情報を伝送していた。
【０００４】
したがって，オン，オフ信号に同期してデータを伝送することにより，エラーなしでデータを伝送することができた。
【発明の開示】
【発明が解決しようとする課題】
【０００５】
ところが，携帯用電子機器などの小型電子機器には，空間が足りないため，オン，オフ信号ライン（またはクロック信号ライン）とデータラインという２本のラインによるデータ通信方法を採用することが難しいという問題点があった。また，２本のラインによるデータ通信のために２つの端子が使用されるが，端子の価格が高く，製品コストを上昇させるという問題点もあった。
【０００６】
そこで，本発明はこのような問題点に鑑みてなされたもので，その目的とするところは，スマートバッテリーパックと外部セットとの間に１本のデータラインを備えることにより，スマートバッテリーパックの類型を外部セットに伝達することができるとともに，スマートバッテリーパックと外部セットにそれぞれ一つずつのデータ端子を形成することにより製造コストを節減することができる，スマートバッテリーパックおよびこれを用いた類型判別方法を提供することにある。
【課題を解決するための手段】
【０００７】
上記課題を解決するために，本発明のある観点によれば，陽極端子および陰極端子によって外部セットに接続される少なくとも一つのバッテリーセルと，該外部セットにデータ端子を介して接続され，該外部セットから所定の信号が印加されると，所定の電圧を一定の時間印加するタイマー回路と，該タイマー回路によって該バッテリーセルの電源を印加する第１スイッチと，該バッテリーセルの電源印加によって所定の信号を出力するレジスタと，該レジスタの信号によってバッテリー類型情報を出力する制御部と，を含むことを特徴とする，スマートバッテリーパックが提供される。
【０００８】
ここで，上記データ端子は，一つであってもよい。
【０００９】
上記制御部は，上記レジスタの信号によって，上記データ端子を介してバッテリー類型情報を外部セットに伝送してもよい。
【００１０】
上記タイマー回路は，上記データ端子と上記第１スイッチとの間に，該データ端子から該第１スイッチの方向へ順方向に接続されたダイオードと，該ダイオードのカソードに並列接続されたキャパシタと，該キャパシタに並列接続された抵抗と，該抵抗にゲートが並列に接続された電界効果トランジスタとを含んでいてもよい。
【００１１】
上記第１スイッチは，上記タイマー回路の上記電界効果トランジスタがオンされると，共にオンされる電界効果トランジスタであってもよい。
【００１２】
上記陽極端子と上記バッテリーセルとの間には，上記制御部によって制御される第２スイッチがさらに接続されていてもよい。
【００１３】
上記スマートバッテリーパックは，上記外部セットから，正しいバッテリー類型情報という認証信号が上記データ端子を介して上記制御部に伝送されると，該制御部が上記第２スイッチをオンさせてバッテリーセルの電源が上記外部セットに印加されるようにしてもよい。
【００１４】
上記第２スイッチは，上記制御部によってゲート電圧が制御される電界効果トランジスタであってもよい。
【００１５】
上記第２スイッチは，上記制御部によってバッテリーセルの放電状態が制御される電界効果トランジスタであってもよい。
【００１６】
上記課題を解決するために，本発明の別の観点によれば，外部セットにスマートバッテリーパックの陽極端子，陰極端子および一つのデータ端子が接続されると，該外部セットが該データ端子を介して所定の信号をスマートバッテリーパックに出力する段階と，該所定の信号によって該スマートバッテリーパックがタイマー回路を作動させることにより第１スイッチをオンさせる段階と，該第１スイッチのオン信号によってバッテリーセルの電源がレジスタに印加された後，該レジスタが所定の信号を出力する段階とを含むことを特徴とする，バッテリー類型判別方法が提供される。
【００１７】
上記レジスタによる所定の信号出力段階後には，該レジスタの出力信号によって上記スマートバッテリーパックが上記外部セットに上記データ端子を介して自分の類型情報を出力する，類型情報出力段階をさらに含んでもいてもよい。
【００１８】
上記類型情報出力段階後には，上記外部セットが上記スマートバッテリーパックの類型情報を読み取り，自分に合うバッテリーなのか否かを判断し，これによる認証情報を上記スマートバッテリーパックにデータ端子を介して出力する，認証情報出力段階をさらに含んでいてもよい。
【００１９】
上記認証情報出力段階で，上記外部セットに合うスマートバッテリーパックと認証された場合，上記スマートバッテリーパックは，上記外部セットと上記スマートバッテリーパックとの間に接続された第２スイッチをオンさせ，上記外部セットに上記スマートバッテリーパックの電源が印加されるようにする段階をさらに含んでいてもよい。
【００２０】
上記認証情報出力段階で，上記外部セットに合うスマートバッテリーパックと認証されなかった場合，上記スマートバッテリーパックは，上記外部セットと上記スマートバッテリーパックとの間に接続された第２スイッチをオフさせ，上記外部セットにスマートバッテリーパックの電源が印加されないようにする段階をさらに含んでいてもよい。
【発明の効果】
【００２１】
以上説明したように，本発明によれば，外部セットとスマートバッテリーパックにそれぞれ一つのデータ端子を備えることにより，外部セットとスマートバッテリーパック間の接続構造を簡単化しかつ製造コストを節減することができるという効果がある。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
図１は本実施形態に係るスマートバッテリーパックのブロック図である。図２は本実施形態に係るスマートバッテリーパックの回路構成を示す回路図である。図３は本実施形態に係るスマートバッテリーパックと外部セット間の結合関係を示すブロック図である。
【００２４】
図１から図３に示したように，本実施形態に係るスマートバッテリーパック１００は，少なくとも一つのバッテリーセル１１０と，所定の信号を一定の時間出力するタイマー回路１２０と，タイマー回路１２０によって作動する第１スイッチ１３０と，第１スイッチ１３０によって所定の信号を出力するレジスタ１４０と，レジスタ１４０によって所定のバッテリー類型情報を外部セット２００に出力する制御部１５０と，正しいバッテリー類型の場合に作動してバッテリーセル１１０の電源を外部セット２００に供給する第２スイッチ１６０とを含む。
【００２５】
上記バッテリーセル１１０は，スマートバッテリーパック１００に少なくとも一つ備えられている。このバッテリーセル１１０には陽極端子Ｐ＋および陰極端子Ｐ−が接続されている。このような陽極端子Ｐ＋および陰極端子Ｐ−は，外部セット２００の陽極端子および陰極端子にそれぞれ接続される。これにより，陽極ラインおよび陰極ラインが形成される。
【００２６】
タイマー回路１２０は，一側にデータ端子ＤＡＴＡが接続されている。データ端子ＤＡＴＡは，外部セット２００のデータ端子に接続される。これにより，１本のデータラインが形成される。タイマー回路１２０は，外部セット２００から所定の信号が印加されると，所定の電圧を一定の時間出力する。また，タイマー回路１２０は，データ端子ＤＡＴＡにアノードが接続されたダイオードＤと，ダイオードＤのカソードに並列に接続された時間遅延用キャパシタＣおよび抵抗Ｒと，抵抗Ｒにゲートが並列に接続された電界効果トランジスタＦＥＴ１とから構成してもよい。ここで，図２では電界効果トランジスタＦＥＴ１にＰチャネル型のものを用いているが，この電界効果トランジスタＦＥＴ１はＮチャネル型であってもよい。勿論，このようなタイマー回路１２０の他に様々な形の等価回路が存在してもよい。ここでは，タイマー回路１２０の具体的な構成は限定されない。
【００２７】
第１スイッチ１３０は，タイマー回路１２０の電界効果トランジスタＦＥＴ１のドレインにゲートが接続された，別の電界効果トランジスタＦＥＴ２であってもよい。図２では電界効果トランジスタＦＥＴ２にＮチャネル型のものを用いているが，勿論，このような電界効果トランジスタＦＥＴ２はＰチャネル型であってもよい。また，第１スイッチ１３０を成す電界効果トランジスタＦＥＴ２は，ソースがバッテリーセル１１０の陽極に接続され，ドレインがレジスタ１４０に接続されていてもよい。勿論，その逆も可能である。つまり，ドレインがバッテリーセル１１０の陽極に接続され，ソースがレジスタ１４０に接続されていてもよい。よって，第１スイッチ１３０は，タイマー回路１２０が作動するときオンされる。すなわち，タイマー回路１２０の電界効果トランジスタＦＥＴ１がオンされると，電界効果トランジスタＦＥＴ２も共にオンされる。これにより，バッテリーセル１１０の電源をレジスタ１４０に印加することが出来る。
【００２８】
レジスタ１４０は，バッテリーセル１１０の電源が印加されると，所定の信号を制御部１５０に出力する。例えば，レジスタ１４０は，制御部１５０が処理する命令を記憶する逐次制御レジスタ（ｓｅｑｕｅｎｃｅ  ｃｏｎｔｒｏｌ  ｒｅｇｉｓｔｅｒ），予めバッテリー類型情報データを持っている指定レジスタ（ｄｅｓｉｇｎａｔｉｏｎ  ｒｅｇｉｓｔｅｒ），制御部１５０の所定の命令語アドレスを持っている制御レジスタ（ｃｏｎｔｒｏｌ  ｒｅｇｉｓｔｅｒ）またはその等価物が使用可能である。ここでは，そのレジスタの種類は限定されない。
【００２９】
制御部１５０は，一側がデータ端子ＤＡＴＡに接続され，他側がレジスタ１４０に接続されている。したがって，制御部１５０は，１本のデータラインによって外部セット２００と接続される。制御部１５０は，レジスタ１４０が所定の信号を出力すると，バッテリーの類型情報をデータ端子ＤＡＴＡ，すなわち１本のデータラインを介して外部セット２００に伝送する。制御部１５０は，バッテリー類型情報だけでなく，製造社，製造日付なども伝送することができ，さらにはバッテリーの全体容量，残存容量なども伝送することができる。一方，制御部１５０は，通常のマイクロプロセッサ，デジタル論理回路またはその等価物を用いて実現することができるが，ここで，その実現方法は限定されない。また，制御部１５０から外部セット２００に伝送されるデータは，例えば秒当たり１００Ｋビット程度のＲＳ２３２Ｃ通信プロトコルを利用することができる。勿論，データの速度，フォーマットおよび通信プロトコルは変更可能である。ここではデータの速度，フォーマット及び通信プロトコルは限定されない。
【００３０】
以下，本実施形態における，スマートバッテリーパック１００が接続される外部セット２００について簡単に説明する。外部セット２００は，内部にスマートバッテリーパック１００の電力を消耗する負荷２２０が設けられている。負荷２２０は，陽極端子Ｐ＋および陰極端子Ｐ−を介してスマートバッテリーパック１００のバッテリーセル１１０に接続される。
【００３１】
上記外部セット２００には，スマートバッテリーパック１００から伝送された信号を読み取りおよび認証するための制御部２１０がさらに設けられている。制御部２１０は，データ端子ＤＡＴＡを介してスマートバッテリーパック１００の制御部１５０と接続される。外部セット２００の制御部２１０は，スマートバッテリーパック１００の制御部１５０から自分に合うバッテリー類型情報を受信すると，適宜な認証信号をスマートバッテリーパック１００の制御部１５０へ伝送する。勿論，外部セット２００の制御部２１０は，スマートバッテリーパック１００の制御部１５０から送られてきたバッテリー類型情報が自分に合わない情報と判断されると，このような状態をスマートバッテリーパック１００の制御部１５０に伝送する。
【００３２】
外部セット２００の制御部２１０からスマートバッテリーパック１００の制御部１５０側へ，正しいバッテリー類型であるという認証情報が伝送されると，第２スイッチ１６０が作動を開始する。すなわち，スマートバッテリーパック１００の制御部１５０によって第２スイッチ１６０がオンされる。第２スイッチ１６０がオンされると，バッテリーセル１１０の電源は，陽極端子Ｐ＋および陰極端子Ｐ−を介して外部セット２００の負荷２２０に直接供給される。勿論，外部セット２００から正しいバッテリー類型ではないという情報がスマートバッテリーパック１００の制御部１５０に伝送されると，スマートバッテリーパック１００の制御部１５０は，第２スイッチ１６０をオフ状態に保持し，バッテリーセル１１０の電源は外部セット２００の負荷２２０に供給されることはない。本実施形態によれば，データ端子が一つしか無いにも拘らず，スマートバッテリーパックが外部セットに自分の類型情報を正確に知らせることができるとともに，外部セットに合わないスマートバッテリーパックの場合には，バッテリーセルの電源を外部セットに印加しないことにより，外部セットをさらに安定的に保護することができるという効果がある。ここで，第２スイッチ１６０は，ゲートが制御部１５０に接続され，ドレインがバッテリーセル１１０の陽極（または陽極端子Ｐ＋）に接続され，ソースが陽極端子Ｐ＋（またはバッテリーセル１１０の陽極）に接続された電界効果トランジスタＦＥＴ３であってもよい。より具体的に，図２の電界効果トランジスタＦＥＴ３はＰチャネル型を用いているが，この電界効果トランジスタＦＥＴ３はＮチャネル型であってもよい。このような第２スイッチ１６０として用いられた電界効果トランジスタＦＥＴ３は，スマートバッテリーパック１００の制御部１５０が電界効果トランジスタＦＥＴ３のゲートに所定の電圧を印加すると，オンされる。これにより，バッテリーセル１１０の電源が外部セット２００の負荷２２０に直接伝達される。
【００３３】
図４は本実施形態に係るバッテリー類型判別方法を示すフローチャートである。
【００３４】
図４に示したように，本実施形態に係るバッテリー類型判別方法は，外部セット２００がスマートバッテリーパック１００へ所定の信号を出力する段階（Ｓ１）と，タイマー回路１２０および第１スイッチ１３０を作動させる段階（Ｓ２）と，レジスタ１４０を作動させる段階（Ｓ３）と，スマートバッテリーパック１００の制御部１５０がバッテリー類型情報を外部セット２００の制御部２１０に出力する段階（Ｓ４）と，外部セット２００の制御部２１０が，自分に合うバッテリー類型なのか否かを判断する段階（Ｓ５）と，正しいバッテリー類型情報であれば，外部セット２００からスマートバッテリーパック１００側へ認証情報を出力する段階（Ｓ６）と，第２スイッチ１６０をオンさせる段階（Ｓ７）と，スマートバッテリーパック１００の電源を外部セット２００の負荷２２０に供給する段階（Ｓ８）と，正しいバッテリー類型情報でなければ，外部セット２００からスマートバッテリーパック１００側へ不認証情報を出力する段階（Ｓ９）と，スマートバッテリーパック１００の電源が外部セット２００の負荷２２０に供給されないようにする段階（Ｓ１０）とから構成されている。
【００３５】
次に，このような構成による，本実施形態に係るスパートバッテリーパック１００およびこれを用いたバッテリー類型判別方法を説明する。
【００３６】
まず，スマートバッテリーパック１００が外部セット２００に取り付けられると，陽極端子Ｐ＋によって陽極ライン，陰極端子Ｐ−によって陰極ライン，およびデータ端子ＤＡＴＡによって１本のデータラインがそれぞれ形成される。この段階で外部セット２００の制御部２１０がスマートバッテリーパック１００のタイマー回路１２０に電気的信号を出力する（Ｓ１）。
【００３７】
すると，上記電気的信号は，ダイオードＤを通過すると同時に，キャパシタＣおよび抵抗Ｒによって一定の時間遅延したままで電界効果トランジスタＦＥＴ１を作動させる。すなわち，タイマー回路１２０が作動する。その後，タイマー回路１２０が作動すると，第１スイッチ１３０もオンされる。すなわち，第１スイッチ１３０である電界効果トランジスタＦＥＴ２のゲートがロー状態になることにより，ソースからドレインにバッテリーセル１１０の電源が印加される（Ｓ２）。
【００３８】
次に，第１スイッチ１３０の作動によってバッテリーセル１１０の電源がレジスタ１４０に印加され，これによりレジスタ１４０が作動する（Ｓ３）。
【００３９】
その後，レジスタ１４０が作動すると，スマートバッテリーパック１００の制御部１５０が自分のバッテリー類型情報を，データ端子ＤＡＴＡ，すなわち１本のデータラインを介して外部セット２００の制御部２１０に出力する（Ｓ４）。
【００４０】
すると，外部セット２００の制御部２１０は，Ｓ４の段階でスマートバッテリーパック１００の制御部１５０から伝送されたバッテリー類型が，自分に合うバッテリー類型であるか否かを判別する（Ｓ５）。すなわち，予め記憶された自分の情報とスマートバッテリーパック１００から伝送された情報とを互いに比較して一致するか否かを判断する。
【００４１】
外部セット２００の制御部２１０がこのような判断を行った後，自分に合うバッテリー類型であれば，外部セット２００の制御部２１０が所定の認証情報をスマートバッテリーパック１００の制御部１５０に出力する（Ｓ６）。
【００４２】
こうしてスマートバッテリーパック１００の制御部１５０に認証情報が入力されると，スマートバッテリーパック１００の制御部１５０は第２スイッチ１６０を作動させる（Ｓ７）。すなわち，第２スイッチ１６０である電界効果トランジスタＦＥＴ３のゲートに所定の電圧を印加してオンさせる。
【００４３】
その結果，スマートバッテリーパック１００のバッテリーセル１１０が，陽極端子Ｐ＋および陰極端子Ｐ−を介して外部セット２００の負荷２２０に直接電力を供給することができる（Ｓ８）。
【００４４】
ところが，判別段階（Ｓ５）で，外部セット２００に合うバッテリー類型情報でなければ，外部セット２００の制御部２１０がスマートバッテリーパック１００の制御部１５０に不認証情報を出力する（Ｓ９）。
【００４５】
すると，スマートバッテリーパック１００の制御部１５０は，第２スイッチ１６０を依然としてオフ状態に維持させることにより，バッテリーセル１１０が外部セット２００の負荷２２０と電気的に接続されないようにする。したがって，外部セット２００を電気的衝撃などから安全に保護することができる。
【００４６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４７】
本発明は，スマートバッテリーパックおよびこれを用いたバッテリー類型判別方法に適用可能であり，さらに詳しくは，スマートバッテリーパックと外部セットとの間に一つのデータラインを備えることにより，簡単にスマートバッテリーパックの類型情報を外部セットに伝達することができ，かつスマートバッテリーパックと外部セットにそれぞれ一つずつのデータ端子を備えることにより，製造コストを節減することができる，スマートバッテリーパックおよびこれを用いたバッテリー類型判別方法に適用可能である。
【図面の簡単な説明】
【００４８】
【図１】本発明の一実施形態に係るスマートバッテリーパックを示すブロック図である。
【図２】本発明の一実施形態に係るスマートバッテリーパックの回路構成を示す回路図である。
【図３】本発明の一実施形態に係るスマートバッテリーパックと外部セット間の接続関係を示すブロック図である。
【図４】本発明の一実施形態に係るバッテリー類型判別方法を示すフローチャートである。
【符号の説明】
【００４９】
１００    スマートバッテリーパック
１１０    バッテリーセル
１２０    タイマー回路
１３０    第１スイッチ
１４０    レジスタ
１５０    制御部
１６０    第２スイッチ
Ｐ＋    陽極端子
Ｐ−    陰極端子
ＤＡＴＡ    データ端子
【図１】
2006073527.tif 000003
【図２】
2006073527.tif 000004
【図３】
2006073527.tif 000005
【図４】
2006073527.tif 000006